(57)【要約】【課題】溜池１０サイドに揚水パワー管２を４基、ホッパーダム７との中間に設置。ホッパーダム７を満杯状態にした後、水の使用開始を、使用後はまた元の溜池に戻し巡回使用出来る。【解決手段】揚水パワー管２内、最上部を登り詰めた水は放水受け３と上蓋３１が受け止めて、ホッパーダム７を満水にした後、放水口８をとうしてタービン９に回し発電装置に到る。【選択図】図８
2020176620.tif 000002
【特許請求の範囲】
【請求項１】
底面プレート２２の直径を、タワー管全長の放水受け３の位置、最上部へ向けて逆円錐形状の大きさに広げ、管内部に吸引プレート２１を全長に吸引する角度で配置し揚水を強力にした。
揚水パワー管。
【発明の詳細な説明】
【技術分野】
【０００１】本発明は、水を引き上げるための揚水バワー管に関する。
【背景技術】
【０００２】発電部門では、Ｃｏ２問題が先進国の順に大きく広がっている火力発電や、原発は問題事故が起こらなくても、原発の巨大ゴミは貯まる一方で、何年先になってもこれの引き取り手はなく、これを埋める場所も生まれません。
この揚水パワー管の設立場所として国には数多くの溜池があり、この溜池を利用する揚水装置が求められている。
【発明の概要】
【発明が解決しようとする課題】
【０００３】従来の揚水発電所は、夜間の電力消費量の少ない時間帯にポンプで、山の中腹に水を汲み上げて、日中の電力消費量を補っている「沖縄」。
この設備は一端整えば維持費は安価でクリーンである。
【課題を解決するための手段】
【０００４】図１で示す、本発明の目的を達成するための、揚水パワー管２の最上部に登り詰めた水は放水受け３と上蓋と３１で受け止めて、ホッパーダム７を満水とし後に…図８です、放水口８を通じてタービン９に放水を果たし発電装置に至る。
【発明の効果】
【０００５】図２で示す、管内に入水し回転を始めると吸引プレート２１取り付けコーナーを水が登り始めて、図３で示す、水量と長さで次第に重量を増し遠心力を増大、回転速度に弾みが付き管内のパワーで強力な揚水効果を出す構造にした。
【発明を実施するための形態】
【０００６】図１で示す、この揚水タワー管２が高速で右回転すると、管内に配置した吸引プレート２１の角度に強い引力が発生して水を強く引き付けます。
この揚水管が円筒形で垂直の管であっても上に登りますが、更にパワーを付ける為に底面プレート２２の直径を２倍に最上部え向け逆円錐形状にした。
【０００７】図６で示す、揚水タワー管２の最上部水の噴出し出口は、吸引プレート２１の最上部分が水平に対し、外周鋼はノコギリ状に、吸引プレート２１の取り付け接点に向けて、三角の形状に切り下てあり、その部分から水は遠心力を伴って強力に斜め上に噴き出します。
【０００８】図４で示す、揚水タワー管２の最上部から噴き上げた水は、放水受け３とその上蓋３１で受け止めてホッパーダム７に送水し蓄積をする。
【０００９】図２で示す、揚水タワー管２の底面中央部は、水の給水口１のＬ型を回転軸にして揚水タワー管２は回転をする。
図１で示す、その給水口の１は、溜池の平均的水面より２メートル低く設定してあり、入水バルブ１２を開くと表面張力で、何時でも管内に水を投入することが出来る。
【００１０】図５で示す、揚水パワー管２は、プーリー付起動モーター６と回転Ｖベルト６１の速い右回転に「自然の竜巻」の逆構造にした事で、管内の付け根の吸引プレート２１のコーナーに強い引力が發生し、水は一瞬の速さで管内頭部に登り詰め、吸引プレート２１は効果のあるものに成った。
【図面の簡単な説明】
【０００９】
【図１】  本発明の揚水パワー管
【図２】  図１のＢ部分の拡大図
【図３】  図１のＰ−Ｐ断面拡大図
【図４】  図１のＥ−Ｅ断面図
【図５】  図１のＣ−Ｃ断面図
【図６】  図４のＦ−Ｆ側面拡大図
【図７】  発電装置の平面図
【図８】  発電装置の側面図
【符号の説明】
【００１０】１    給水管
１１  防魚ネット
１２  入水バルブ
２    揚水パワー管
２１  吸引プレート
２２  底面プレート
２３  中芯シャフト
２４  振れ止め
２５  繋ぎプレート
３    放水受け及び中心シャフト受け
３１  上蓋
４    架台
４１  架台補強プレート
４２  ベアリング
４３  架台下足
５    放水受け固定アーム
６    プーリー付、起動モーター
６１  回転Ｖベルト
７    ホッパーダム
７１  ホッパーダム基礎コンクリート
８    放水口
９    発電タービン
１０  溜池
【図１】
2020176620.tif 000003
【図２】
2020176620.tif 000004
【図３】
2020176620.tif 000005
【図４】
2020176620.tif 000006
【図５】
2020176620.tif 000007
【図６】
2020176620.tif 000008
【図７】
2020176620.tif 000009
【図８】
2020176620.tif 000010
【手続補正書】
【提出日】令和1年6月5日(2019.6.5)
【手続補正１】
【補正対象書類名】明細書
【補正対象項目名】全文
【補正方法】変更
【補正の内容】
【発明の詳細な説明】
【技術分野】
【０００１】本発明は、水を引き上げるための揚水バワー管に関する。
【背景技術】
【０００２】発電部門では、Ｃｏ２問題が先進国の順に大きく広がっている火力発電や、原発は問題事故が起こらなくても、原発の巨大ゴミは貯まる一方で、何年先になってもこれの引き取り手はなく、これを埋める場所も生まれません。
この揚水パワー管の設立場所として国には数多くの溜池があり、この溜池を利用する揚水装置が求められている。
【発明の概要】
【発明が解決しようとする課題】
【０００３】従来の揚水発電所は、夜間の電力消費量の少ない時間帯にポンプで、山の中腹に水を汲み上げて、日中の電力消費量を補っている「沖縄」。
この設備は一端整えば維持費は安価でクリーンである。
【課題を解決するための手段】
【０００４】図１で示す、本発明の目的を達成するための、揚水パワー管２の最上部に登り詰めた水は放水受け３と上蓋と３１で受け止めて、ホッパーダム７を満水とし後に・・・図８です、放水口８を通じてタービン９に放水を果たし発電装置に至る。
【発明の効果】
【０００５】図２で示す、管内に入水し回転を始めると吸引プレート２１取り付けコーナーを水が登り始めて、図３で示す、水量と長さで次第に重量を増し遠心力を増大、回転速度に弾みが付き管内のパワーで強力な揚水効果を出す構造にした。
【発明を実施するための形態】
【０００６】図１で示す、この揚水パワー管２が高速で右回転すると、管内に配置した吸引プレート２１の角度に強い引力が発生して水を強く引き付けます。
この揚水管が円筒形で垂直の管であっても上に登りますが、更にパワーを付ける為に底面プレート２２の直径を２倍に最上部え向け逆円錐形状にした。
【０００７】図６で示す、揚水パワー管２の最上部水の噴出し出口は、吸引プレート２１の最上部分が水平に対し、外周鋼はノコギリ状に、吸引プレート２１の取り付け接点に向けて、三角の形状に切り下てあり、その部分から水は遠心力を伴って強力に斜め上に噴き出します。
【０００８】図４で示す、揚水パワー管２の最上部から噴き上げた水は、放水受け３とその上蓋３１で受け止めてホッパーダム７に送水し蓄積をする。
【０００９】図２で示す、揚水パワー管２の底面中央部は、水の給水口１のＬ型を回転軸にして揚水パワー管２は回転をする。
図１で示す、給水口の１は、溜池の平均的水面より２メートル低く設定してあり、入水バルブ１２を開くと表面張力で、何時でも管内に水を投入することが出来る。
【００１０】図５で示す、揚水パワー管２は、プーリー付起動モーター６と回転Ｖベルト６１の速い右回転にし「自然の竜巻」の逆構造にした事で、管内吸引プレート２１付け根のコーナーに強い引力が發生し、水は一瞬の速さでコーナーに張り付き管内頭部に登り詰めます、吸引プレート２１効果は竜巻を超える揚水力を出し「最終模型の結果」で揚水パワー管の要にした。
【図面の簡単な説明】
【０００９】
【図１】  本発明の揚水パワー管
【図２】  図１のＢ部分の拡大図
【図３】  図１のＰ−Ｐ断面拡大図
【図４】  図１のＥ−Ｅ断面図
【図５】  図１のＣ−Ｃ断面図
【図６】  図４のＦ−Ｆ側面拡大図
【図７】  発電装置の平面図
【図８】  発電装置の側面図
【符号の説明】
【００１０】１    給水管及び給水口
１１  防魚ネット
１２  入水バルブ
２    揚水パワー管
２１  吸引プレート
２２  底面プレート
２３  中芯シャフト
２４  振れ止め
２５  繋ぎプレート
３    放水受け及び中心シャフト受け
３１  上蓋
４    架台
４１  架台補強プレート
４２  ベアリング
４３  架台下足
５    放水受け固定アーム
６    プーリー付、起動モーター
６１  回転Ｖベルト
７    ホッパーダム
７１  ホッパーダム基礎コンクリート
８    放水口
９    発電タービン
１０  溜池
【手続補正２】
【補正対象書類名】図面
【補正対象項目名】図７
【補正方法】変更
【補正の内容】
【図７】
2020176620.tif 000011
【手続補正３】
【補正対象書類名】図面
【補正対象項目名】図８
【補正方法】変更
【補正の内容】
【図８】
2020176620.tif 000012